【手続補正書】
【提出日】平成20年8月27日(2008.8.27)
【手続補正１】
【補正対象書類名】明細書
【補正対象項目名】特許請求の範囲
【補正方法】変更
【補正の内容】
【特許請求の範囲】
【請求項１】
以下の構造式：
【化１】
2004507513.tif 000001
（式中、Ｘ1およびＸ2は、各々独立して、不活性連結基である；
各々、Ｒaは、独立して、置換もしくは非置換の脂肪族基または置換もしくは非置換のアリール基である；
ｎは、１、２、３または４である；
Ｒは、置換もしくは非置換の脂肪族基、置換もしくは非置換のアリール基、または以下：
【化２】
2004507513.tif 000002
から選ばれる構造式により表されるものである、
ここで、各Ｒbは、独立して、エポキシド置換脂肪族基である；および
Ｒcは、Ｈ、非置換脂肪族基、置換脂肪族基、非置換アリール基、置換アリール基、置換シロキサン基、非置換シロキサン基、置換ポリシロキサン基または非置換ポリシロキサン基である）
により表される化合物。
【請求項２】
以下の構造式：
【化３】
2004507513.tif 000003
（式中、Ｒは以下：
【化４】
2004507513.tif 000004
から選ばれる構造式、により表されるものである
ここで、各Ｒ1基、各Ｒ3基および各Ｒ4基は、独立して、置換もしくは非置換のＣ1〜12アルキル、Ｃ1〜12シクロアルキル、アリール置換Ｃ1〜12アルキルまたはアリール基である；
各Ｒ2基は、独立して、置換もしくは非置換のＣ1〜12アルキレン、Ｃ1〜12シクロアルキレン、Ｃ1〜12アリールアルキレン、またはアリーレン基、−Ｙ1−［Ｏ−Ｙ1］p−、−Ｙ1−Ｓｉ（Ｒz）2−Ｙ1−、−Ｙ1−Ｓｉ（Ｒz）2−Ｙ1−Ｏ−Ｙ1−Ｓｉ（Ｒz）2−Ｙ1−、または−Ｙ1−Ｓｉ（Ｒz）2−Ｙ1−Ｓｉ（Ｒz）2−Ｙ1−である；
各Ｒ5基は、独立して、２〜１０の炭素原子を有する、エポキシド置換脂肪族基である；および
各Ｒ6基は、独立して、水素、アルケニル、置換もしくは非置換のＣ1〜12アルキル、Ｃ1〜12シクロアルキル、アリール置換Ｃ1〜12−アルキルまたはアリールまたはＲz−（Ｏ−Ｙ1）ｍ−、（Ｒz）3Ｓｉ−（Ｏ−Ｓｉ（Ｒz）2）q−Ｙ1−または（Ｒz）3Ｓｉ−（Ｏ−Ｓｉ（Ｒz）2）q−Ｏである；
各Ｒzは、独立して、置換もしくは非置換のＣ1〜12アルキル基、Ｃ1〜12シクロアルキルアルキル基、アリール置換Ｃ1〜12アルキル基またはアリール基である；
各Ｙ1は、独立して、Ｃ1〜12アルキレン基である；
ｐは１〜５の整数である；ｍは１〜１０の整数である；およびｑは０〜４の整数である）
により表される請求項１記載の化合物。
【請求項３】
各Ｒ2基が、独立して、置換もしくは非置換のＣ1〜12アルキレン、Ｃ1〜12シクロアルキレン、Ｃ1〜12置換アリールアルキレン、またはアリーレン基であり；少なくとも１つのＲ5が、シクロアルケンオキシドを含み；および各Ｒ6が、独立して、置換もしくは非置換のＣ1〜12アルキルシラン、Ｃ1〜12シクロアルキルシラン、Ｃ1〜12アルコキシシラン、アリール置換Ｃ1〜12アルキルシラン、水素、ビニル、置換もしくは非置換のＣ1〜12アルキル、Ｃ1〜12ジアルキルエーテル、（Ｃ1〜12シクロアルキル）Ｃ1〜12アルキルエーテル、Ｃ1〜12シクロアルキル、アリール置換Ｃ1〜12アルキルまたはアリール基である、請求項２記載の化合物。
【請求項４】
各Ｒ5が、以下の構造式：
【化５】
2004507513.tif 000005
により表されるものである、請求項３記載の化合物。
【請求項５】
Ｒ1が、メチル基であり；各Ｒ2基がエチレン、ヘキシレン、またはオクチレン基であり；各Ｒ3基がメチル基であり；各Ｒ4基がメチル基であり；各Ｒ5基が２−（３，４−エポキシシクロヘキシル）エチル基であり、各Ｒ6基が水素またはエテニルである、請求項３記載の化合物。
【請求項６】
以下の構造式：
【化６】
2004507513.tif 000006
（式中、Ｒ14は、以下：
【化７】
2004507513.tif 000007
から選ばれる構造式により表されるものであり、
ここで、各Ｒ15基、各Ｒ17基、各Ｒ18基、各Ｒ19基、各Ｒ20基および各Ｒ22基は、独立して、置換もしくは非置換のＣ1〜12アルキル、Ｃ1〜12シクロアルキル、アリール置換Ｃ1〜12アルキルまたはアリール基である；
各Ｒ16基は、独立して、置換もしくは非置換のＣ1〜12アルキレン、Ｃ1〜12シクロアルキレン、Ｃ1〜12アリールアルキレン、またはアリーレン基、−Ｙ1−［Ｏ−Ｙ1］p−、−Ｙ1−Ｓｉ（Ｒz）2−Ｙ1−、−Ｙ1−Ｓｉ（Ｒz）2−Ｙ1−Ｏ−Ｙ1−Ｓｉ（Ｒz）2−Ｙ1−、またはＹ1−Ｓｉ（Ｒz）2−Ｙ1−Ｓｉ（Ｒz）2−Ｙ1−である；
各Ｒ21は、独立して、２〜１０の炭素原子を有する、エポキシド置換脂肪族基である；
Ｒ23は、独立して、水素、アルケニル、置換もしくは非置換のＣ1〜12アルキル、Ｃ1〜12シクロアルキル、アリール置換Ｃ1〜12−アルキルまたはアリールまたはＲz−（Ｏ−Ｙ1）m−、（Ｒz）3Ｓｉ−（Ｏ−Ｓｉ（Ｒz）2）q−Ｙ1−または（Ｒz）3Ｓｉ−（Ｏ−Ｓｉ（Ｒz）2）q−Ｏ−である；
各Ｘ基は、独立して、酸素またはＲ16である；
各Ｒzは、独立して、置換もしくは非置換のＣ1〜12アルキル基、Ｃ1〜12シクロアルキルアルキル基、アリール置換Ｃ1〜12アルキル基またはアリール基である；
各Ｙ1は、独立して、Ｃ1〜12アルキレン基である；
ｐは１〜５の整数である；ｍは１〜１０の整数である；およびｑは０〜４の整数である）
により表されるものである、請求項１記載の化合物。
【請求項７】
各Ｒ16基が、独立して、置換もしくは非置換のＣ1〜12アルキレン、Ｃ1〜12シクロアルキレン、アリール置換Ｃ1〜12アルキレンまたはアリーレン基であり；少なくとも１つのＲ21が、シクロアルケンオキシドを含んでなり；Ｒ23が、独立して、水素、一価の置換もしくは非置換のＣ1〜12アルキル、Ｃ1〜12ジアルキルエーテル（アルキル−Ｏ−アルキレン−）、Ｃ1〜12シクロアルキルＣ1〜12アルキルエーテル、Ｃ1〜12シクロアルキル、アリール置換Ｃ1〜12アルキルまたはアリール基であり；Ｘが酸素である、請求項６記載の化合物。
【請求項８】
各Ｒ21が、以下の構造式：
【化８】
2004507513.tif 000008
により表されるものである、請求項７記載の化合物。
【請求項９】
各Ｒ15基、各Ｒ17基、各Ｒ18基、各Ｒ19基、各Ｒ20基および各Ｒ22基が、メチル基であり；各Ｒ16基がエチレン、ヘキシレン、またはオクチレン基であり；およびＲ23が水素、ヘキシル、またはアルキルエーテルである、請求項８記載の化合物。
【請求項１０】
以下の構造式：
【化９】
2004507513.tif 000009
（式中、各Ｒ7基は、非置換脂肪族基、置換脂肪族基、非置換アリール基、置換アリール基である；
各Ｒ8基は、Ｒ9、水素、アルケニル、置換もしくは非置換のＣ1〜12アルキル、Ｃ1〜12シクロアルキル、アリール置換Ｃ1〜12−アルキルまたはアリールまたはＲz−（Ｏ−Ｙ1）m−、（Ｒz）3Ｓｉ−（Ｏ−Ｓｉ（Ｒz）2）q−Ｙ1−または（Ｒz）3Ｓｉ−（Ｏ−Ｓｉ（Ｒz）2）q−Ｏ−であり；
各Ｒ9は、独立して、以下の構造式：
【化１０】
2004507513.tif 000010
により表されるものであり、
式中、Ｘ1およびＸ2は、独立して、不活性連結基である；
各Ｒaは、独立して、置換もしくは非置換の脂肪族基または置換もしくは非置換のアリール基である；
各Ｒbは、エポキシドで置換された脂肪族基である；
各Ｒzは、独立して、置換もしくは非置換のＣ1〜12アルキル基、Ｃ1〜12シクロアルキルアルキル基、アリール置換Ｃ1〜12アルキル基またはアリール基である；
各Ｙ1は、独立して、Ｃ1〜12アルキレン基である；
ｍは、１〜１０の整数である；およびｑは０〜４の整数である）
により表される化合物。
【請求項１１】
各Ｒ7が、独立して、置換もしくは非置換のＣ1〜12アルキル、Ｃ1〜12シクロアルキル、アリール置換Ｃ1〜12アルキルまたはアリール基であり；
各Ｒ9が以下：
【化１１】
2004507513.tif 000011
により表され；
各Ｒ10基が、独立して、置換もしくは非置換のＣ1〜12アルキレン、Ｃ1〜12シクロアルキレン、Ｃ1〜12アリールアルキレン、またはアリーレン基、−Ｙ1−［Ｏ−Ｙ1］p−、−Ｙ1−Ｓｉ（Ｒz）2−Ｙ1−、−Ｙ1−Ｓｉ（Ｒz）2−Ｙ1−Ｏ−Ｙ1−Ｓｉ（Ｒz）2−Ｙ1−、または−Ｙ1−Ｓｉ（Ｒz）2−Ｙ1−Ｓｉ（Ｒz）2−Ｙ1−であり；
各Ｒzが、独立して、Ｃ1〜12アルキル基であり；
各Ｙ1が、独立して、Ｃ1〜12アルキレン基であり；
各Ｒ11基および各Ｒ12基が、独立して、置換もしくは非置換のＣ1〜12アルキル、Ｃ1〜12シクロアルキル、アリール置換Ｃ1〜12アルキル基またはアリール基であり；
および
各Ｒ13基が、独立して、２〜１０の炭素原子を有する、エポキシド置換脂肪族基である、請求項１０記載の化合物。
【請求項１２】
Ｒ8が置換もしくは非置換のＣ1〜12アルキルシラン、Ｃ1〜12シクロアルキルシラン、Ｃ1〜12アルコキシシラン、アリール置換Ｃ1〜12アルキルシランまたは置換もしくは非置換の１−アルケニル基または置換もしくは非置換のＣ1〜12ｎ−アルケニル基であり、ここでｎは１以上であり；
Ｒ10が、独立して、Ｃ1〜12アルキレン、Ｃ1〜12シクロアルキレン、Ｃ1〜12アリールアルキレン、またはアリーレン基であり；
少なくとも１つのＲ13基が、シクロアルケンオキシドを含んでなる、請求項１１記載の化合物。
【請求項１３】
各Ｒ13が、以下の構造式：
【化１２】
2004507513.tif 000012
により表されるものである、請求項１２記載の化合物。
【請求項１４】
Ｒ7がメチル基であり、
Ｒ8がエテニルまたはＲ9であり；
各Ｒ9が以下：
【化１３】
2004507513.tif 000013
であり；
各Ｒ10基が−（ＣＨ2）2−、−（ＣＨ2）6−または−（ＣＨ2）8−であり；
各Ｒ11基およびＲ12基がメチル基であり；および
各Ｒ13基が２−（３，４−エポキシシクロヘキシル）エチル基である、請求項１２記載の化合物。
【請求項１５】
ａ）酸開始カチオン重合を行う少なくとも１種の多官能性エポキシドモノマーまたはオリゴマー、ここで：１）該モノマーまたはオリゴマーの各エポキシドが、シロキサンを含むリンカー基により中央シリコン原子に結合されているか；または２）該モノマーまたはオリゴマーの各エポキシドが、シロキサンを含むリンカー基により中央ポリシロキサン環に結合されている；および各モノマーまたはオリゴマーが約３００ｇ／モルエポキシドよりも多いエポキシ当量重量を有するものである；
ｂ）カチオン重合を補助しうる結合剤；
ｃ）化学線放射への曝露の際に酸を生成しうる酸生成体；および任意に
ｄ）感作物質
を含む、ホログラフィー記録媒体。
【請求項１６】
二官能性エポキシドモノマーまたは単官能性エポキシドモノマーをさらに含んでなる、請求項１５記載のホログラフィー記録媒体。
【請求項１７】
多官能性エポキシドモノマーまたはオリゴマーが、以下の構造式：
Ｒ’’−Ｓｉ−Ｒ’3
（式中、各Ｒ’は、独立して、エポキシドで置換された脂肪族基を含み、該脂肪族基は、シロキサン基を含むリンカーによってシリコン原子に結合されている；および
Ｒ’’は、Ｒ’または−Ｈ、置換脂肪族基、非置換脂肪族基、置換アリール基、非置換アリール基、置換シロキサン基、非置換シロキサン基、置換ポリシロキサン基もしくは非置換ポリシロキサン基である）
により表されるものである、請求項１５記載のホログラフィー記録媒体。
【請求項１８】
各Ｒ’が、以下の構造式：
【化１４】
2004507513.tif 000014
（式中、Ｘ1およびＸ2は独立して不活性連結基であり；
各Ｒaは、独立して、置換もしくは非置換の脂肪族基または置換もしくは非置換のアリール基であり；および
各Ｒbは、エポキシドで置換された脂肪族基である）
により表される基を含んでなる、請求項１７記載のホログラフィー記録媒体。
【請求項１９】
多官能性エポキシドモノマーが、請求項１〜１４のいずれか１項に記載の化合物である、請求項１５記載のホログラフィー記録媒体。
【請求項２０】
二官能性エポキシドモノマーが、以下の構造式：
Ｒ24Ｓｉ（Ｒ25）2ＯＳｉ（Ｒ26）2Ｒ24
（式中、各Ｒ24基は、２−（３，４−エポキシシクロヘキシル）エチル基である；各Ｒ25基がメチル基であり、および各Ｒ26基がメチル基である）により表されるものである、請求項１６記載のホログラフィー記録媒体。
【請求項２１】
ホログラフィー媒体が、多官能性エポキシドモノマー１重量部当たり約０．２５〜約５重量部の二官能性エポキシドモノマーを含有してなる、請求項１５記載のホログラフィー記録媒体。
【請求項２２】
ホログラフィー媒体が、約９０部の結合剤および１０部のモノマーまたはオリゴマー（ｗ／ｗ）から約１０部の結合剤および９０部のモノマーまたはオリゴマー（ｗ／ｗ）を含有してなる、請求項１５記載のホログラフィー記録媒体。
【請求項２３】
化学線放射に対する曝露の際に酸を生じうる酸生成体が、ジアリールヨードニウム塩である、請求項１５記載のホログラフィー記録媒体。
【請求項２４】
感作物質が５，１２−ビス（フェニルエチニル）ナフタセンである、請求項１５記載のホログラフィー記録媒体。